(57)【特許請求の範囲】
【請求項１】
ガス流路に沿って上流から下流に吹き抜けるガスを洗浄するための静電集塵器であって、
順次前記ガス内の粒子を帯電させるイオンを作り出すコロナ放電イオン化ゾーンからなる第１ゾーンと、該第１ゾーンの下流にあって前記帯電した粒子を集めるコレクタゾーンからなる第２ゾーンと、前記第１ゾーン内に設けられ、前記帯電した粒子の収集を妨げ、その代わりに、前記帯電した粒子を下流の前記第２ゾーンに流れるように方向づけて、前記第２ゾーンにおいて前記粒子を収集するアンチコレクターガイドと、前記第１ゾーンにコロナ放電によるイオン化を与える電界を作り出すコロナ放電電極とを含み、
前記アンチコレクターガイドは、前記第１ゾーン内に電界シールドを含み、前記帯電した粒子を前記電界から遮蔽して、前記第１ゾーン内に前記帯電した粒子の収集を妨げるようにし、
前記電界シールドは、前記第１ゾーンを第１,第２のサブゾーンに分け、前記第１のサブゾーンは、前記電界シールドの一面側にあり、前記帯電した粒子を前記第２ゾーンに導き、前記第２のサブゾーンは、前記電界シールドの他面側にあり、前記コロナ放電電極と前記電界シールド間にあって、前記イオン化を与えており、さらに、
前記電界シールドは、軸線に沿って軸方向に伸びる穿孔した軸方向チューブからなり、前記軸方向チューブの入口端から入射するガスを、前記軸方向チューブの軸方向反対側の出口端に導き、前記コロナ放電電極は、前記軸方向チューブを取り囲む軸方向に伸びる中空ドラムからなり、前記第１のサブゾーンは、前記軸方向チューブ内にあり、前記第２のサブゾーンは、前記軸方向チューブの外側で前記軸方向チューブと前記ドラムとの間にあり、前記第２のサブゾーン内にイオン化により作り出されるイオンが、前記軸方向チューブ内の穿孔を通って、前記軸方向チューブ内の前記第１のサブゾーン内で前記帯電した粒子を作り出し、該帯電した粒子が、前記コロナ放電電極によって作り出された前記軸方向チューブの外側の前記第２のサブゾーン内の電界から前記軸方向チューブによって遮蔽されることを特徴とする静電集塵器。
【請求項２】
前記軸方向チューブは、接地電位であることを特徴とする請求項１記載の静電集塵器。
【請求項３】
前記ドラムを取り囲む外側接地面を含み、前記第２ゾーンは、前記ドラムの外側にあってドラムを取り囲み、前記ドラムと前記外側接地面との間にあることを特徴とする請求項１記載の静電集塵器。
【請求項４】
前記外側接地面は、前記第１軸方向端と第２軸方向端との間に前記軸線に沿って軸方向に伸びるキャニスターを含み、前記第１軸方向端は、ガス入口と洗浄されたガスの出口の両方を有し、前記ガス入口は、前記軸方向チューブの入口端にあり、前記洗浄されたガスの出口は、第２ゾーンから洗浄されたガスを受け入れ、該ガスは、前記ガス入口から第１軸方向に前記チューブ内の前記第１ゾーンを通って前記軸方向チューブの出口端に流れ、さらに、半径方向外側の前記第２ゾーンに向かい、前記第１軸方向と反対の第２軸方向に前記第２ゾーンから前記洗浄されたガスの出口に流れることを特徴とする請求項３記載の静電集塵器。
【発明の詳細な説明】
【技術分野】
【０００１】
本発明は、吹抜けガスからの油滴を含む浮遊粒子物質を取り除くために、吹抜けガス（blowby gas）用のディーゼルエンジンによる静電式クランクケースの換気システムを含む、静電集塵器または静電コレクターに関する。
【背景技術】
【０００２】
ディーゼルエンジンによる静電式クランクケースの換気システムに設けられる静電集塵器は、従来技術として公知である。この単純な形式では、放電電極の回りにコレクタ電極を設けて環状の接地面を形成する接地チューブまたはキャニスターの中心に、高電圧のコロナ放電電極が配置される。数1000ボルト、例えば、１５ｋＶ等の直流高電圧が中央放電電極に与えられて、高電界強度によって電極の近くにコロナ放電を生じさせる。この電界が、コロナ放電イオン化ゾーンにおいて、ガスをイオン化して、イオンを生じさせ、ガス内に電気的に帯電した浮遊粒子を作り出す。帯電した粒子は、次に、コレクタチューブまたはキャニスターの内面、即ち、接地表面に引き付けられた面上に電界によって静電的に集塵される。
【０００３】
静電コレクターは、ディーゼルエンジンのクランクケースにおける換気システムに用いられてきた。吹抜けガスからの油滴を含む浮遊粒子物質を取り除くために、例えば、吹抜けガスを大気中に戻す、または新鮮なエアを、更なる燃焼のためにディーゼルエンジンの取入口側に戻すことができ、これにより、吹抜けガスの再循環システムが与えられる。オイルミストは、キャニスターによって与えられた接地電極上に集められ、収集されたオイルミストは、この装置から排出される。
【０００４】
（親出願）
図１は、矢印１２,１４で示すガス流路に沿って流れるガスを洗浄するための多段階スペース効率形の静電コレクター１０を示す。この静電コレクターは、例えば、同一出願人の２００４年４月８日に出願された特許文献１に示されるように、取付けヘッド１６に取り付け可能であり、この取付けヘッドは、ディーゼルエンジン、またはエンジン室内にある内燃機関に取り付けられる。吹き抜けガスからの油滴を含む粒子物質は、ディーゼルエンジン排気の場合、矢印１２で示すコレクター内を流れて、エンジンに戻る、または大気中に換気されるために、矢印１４,１８に排気される。
【０００５】
収集された油滴を含む粒子物質は、良く知られるように、周期的にバルブ出口２０を介して放出される。
静電コレクターは、外側の接地面にキャニスター２２と、図１〜３に示される内側接地面チューブ２４と、これらの間に配置されたコロナ放電電極２６とを含む。キャニスター２２は、図３において、軸線２８に沿って軸方向に伸びている円筒部材であり、入口端３０と出口端３２との間で内側に面してコレクター電極を与える内壁３４を有している。
【０００６】
キャニスター内のコロナ放電電極２６は、軸線２８に沿って軸方向に伸び、キャニスターの内壁３４に対面する外壁３６を有する中空ドラムによって与えられ、その缶に外側環状流路３８を形成する。このドラムは、中空内部室を形成する内壁４０を有する。内側接地面２４は、キャニスター内の入口端３０からキャニスター内を軸方向に伸び、さらに、中空内部室４２内を軸方向に伸びる中空円柱によって与えられる。中空円柱２４は、ドラム２６の内壁４０に対面する外壁４４を有し、その缶に内側環状流路４６を形成する。中空円柱２４の外壁４４は、コレクター電極を与える。中空円柱は、内側流路を与える中空内部室５０を形成する内壁４８を有する。
【０００７】
洗浄されるガスは、矢印１２で示すように入口取付具５２に入り、中空円柱２４の中空内部室５０に沿う内側流路を通る第１流路部分に沿って矢印５４で示すように第１軸方向上方へ流れる。さらに、ガスは、矢印５６に示すように反転し、第２流路部分に沿って第２方向の反対側軸方向５８に流れる。中空円柱２４の外壁４４とドラム２６の内壁４０との間に沿う内側環状通路４６を通る。さらに、ガスは、矢印６０で示すように反転し、ドラム２６の外壁３６及びキャニスター２２の内壁３４に沿って外側環状通路３８を通り第３流路部分に沿って矢印６２で示すように、第１軸方向上流に流れる。キャニスターは、電気的絶縁性のディスク６４によって、その頂部が閉じられており、ディスク６４は、複数の周回りに間隔を置いて配置された開口６６を有し、この開口は、ガスの出口通路を与えて、矢印１４で示すように、ガスがプレナム６８内を通過して出口流路のための出口ポートに向かうようになっている。高電圧電極７２は、ディスク６４を貫通し、ドラム２６に電気接続されている。
【０００８】
好ましい実施形態では、ドラムは、複数のコロナ放電要素を有し、この放電要素は、中空円柱２４の外壁４４に向かって、内側環状流路４６内に半径方向内側に突出する内側放電チップ７４によって与えられる。このような内側放電チップ７４は、第２流路部分５８内に突出し、また、複数の外側放電チップ７６が設けられ、この外側放電チップは、キャニスター２２の内壁３４に向かって、外側環状流路３８内に半径方向外側に突出する。外側放電チップ７６は、第３流路部分６２内に突出し、２００３年８月５日に出願された同一出願人による特許文献２に示されているものと同様である。ドラム２６は、金属又は他の導電性部材、あるいはそれぞれのチップに接続された導電体部分を有する絶縁体からなる。外側環状流路３８は、内側環状流路４６と同軸配置されかつその半径方向外側にある。内側環状流路４６は、最初の流路５０と同軸配置されかつその半径方向外側にある。ガスは、キャニスター２２を通る曲がりくねった通路を流れる。この蛇行通路は、第１、第２の流路部分５４,５８間の第１Ｕ形状湾曲部５６、および第２、第３の流路部分５８,６２間の第２Ｕ形状湾曲部６０を含む。
【０００９】
この開示された構造は、ガス流路に沿って流れるガスを洗浄するための多段階のスペース効率形の静電コレクターを与える。この静電コレクターは、ガス流路に沿う第１コロナ放電ゾーン４６によって与えられる第１段階と、第１コロナ放電ゾーン４６からのガス流路に沿って間隔を置いたガス流路に沿う第２コロナ放電ゾーン３８によって与えられる第２段階を含む。静電コレクターは、コロナ放電電極２６と２つの接地面２４.２２によって形成される。第１コロナ放電ゾーン４６は、コロナ放電電極２６と第１接地面２４との間にある。第２コロナ放電ゾーン３８は、コロナ放電電極２６と第２接地面２２との間にある。第２接地面は、軸線２８に沿って軸方向に伸びるキャニスター２２によって形成される。
【００１０】
コロナ放電電極は、軸線２８に沿って軸方向に伸びるキャニスター内の中空ドラム２６によって形成される。第１コロナ放電ゾーン４６は、ドラムの内側にある。第２コロナ放電ゾーン３８は、ドラムの外側にある。第１接地面２４は、ドラムの内側にある。コロナ放電電極２６と第２接地面２２の各々は、環状であり、第１、第２のコロナ放電ゾーン４６,３８の各々は、円環である。接地面２２とコロナ放電ゾーン３８、およびコロナ放電電極２６とコロナ放電ゾーン４６は、同軸配置されている。コロナ放電ゾーン４６は、接地面２４を同心で取り囲んでいる。コロナ放電電極２６は、コロナ放電ゾーン４６を同心で取り囲む。コロナ放電ゾーン３８は、コロナ放電電極２６を同心で取り囲む。接地面２４は、環状でガス流路に沿って最初のガス流れゾーン５０を矢印５４の位置に形成する。また、接地面２４は、第１、第２コロナ放電ゾーン４６,３８からガス流路に沿って離間している。接地面２４は、最初のガス流れゾーン５０を同心で取り囲む。第１、第２コロナ放電ゾーン４６,３８の間の矢印６０の位置でガス流路に沿ってガスの流れ方向を変える。
【００１１】
好ましくは、この方向の変化は、１８０°である。ガス流路に沿うガスの流れは、第１コロナ放電ゾーン４６に沿って流れ、さらに、矢印６０の位置で方向を逆転し、第２コロナ放電ゾーン３８に沿って別の流れ方向６２に流れる。第１、第２コロナ放電ゾーン４６,３８は、互いに同心である。流れ方向６２は、流れ方向５８と平行でかつその方向が反対である。第２コロナ放電ゾーン３８は、第１コロナ放電ゾーン４６を取り囲む。ガス流路は、第１コロナ放電ゾーン４６を通ってガスが流れる前に、参照番号５０の位置に最初のガス流れゾーンを有する。この最初のガス流れゾーン５０は、非コロナ放電ゾーンである。ガス流路は、蛇行した経路であり、最初のガス流れゾーン５０、第１コロナ放電ゾーン４６、第２コロナ放電ゾーン３８を含む。ガス流路は、最初のガス流れゾーン５０と第１コロナ放電ゾーン４６との間の位置５６に第１流れ反転ゾーンと、第１コロナ放電ゾーン４６と第２コロナ放電ゾーン３８との間の位置６０に第２流れ反転ゾーンを有する。ガスは、最初のガス流れゾーン５０に沿って流れ方向５４に流れ、次に位置５６で反転し、更に、第１コロナ放電ゾーン４６に沿って流れ方向５８に流れ、そして、位置６０で反転し、第２コロナ放電ゾーン３８に沿って流れ方向６２に流れる。流れ方向５８は、流れ方向５４,６２に平行でその方向が反対である。最初のガス流れゾーン５０、第１コロナ放電ゾーン４６、および第２コロナ放電ゾーン３８は、同心である。第２コロナ放電ゾーン３８は、第１コロナ放電ゾーン４６を取り囲み、第１コロナ放電ゾーン４６は、最初のガス流れゾーン５０を取り囲む。
【００１２】
２００４年４月８日に出願された本発明の親出願である特許文献３は、静電コレクターを通って流れるガスのコロナ放電ゾーン内に残留する時間を増加させる方法を提供しており、この静電コレクターは、ゾーン４６を通る第１コロナ放電経路５８に沿ってガスの流れを指向し、そして、ゾーン３８を通る第２コロナ放電経路６２に沿ってガスの流れを指向している。好ましい方法では、ガスの流れは、第１コロナ放電経路５８に沿ってガスの流れを指向する前に、静電コレクター内のゾーン５０を通る最初の流路５４に沿って指向させる。
【特許文献１】米国特許出願第１０／８２０,５４１号明細書
【特許文献２】米国特許出願第１０／６３４，５６５号明細書
【特許文献３】米国特許出願第１０／８２４,３１７号明細書
【発明の開示】
【発明が解決しようとする課題】
【００１３】
本発明は、静電集塵器の改良された性能を得るための絶え間ない開発努力の結果として生じたもので、接地電極の汚染を少なくし、ディーゼルエンジンによる静電式クランクケースの換気システムにおいて、環状の接地面にあるキャニスター上にオイルミストを集めることを含んでいる。
【００１４】
本発明は、帯電段階及び収集段階を分離することによって接地電極の汚染を低下させる静電集塵器を提供することを目的としている。
【課題を解決するための手段】
【００１５】
上記目的を達成するために、本発明は、ガス流路に沿って上流から下流に吹き抜けるガスを洗浄するための静電集塵器であって、順次前記ガス内の粒子を帯電させるイオンを作り出すコロナ放電イオン化ゾーンからなる第１ゾーンと、前記帯電した粒子を集めるコレクタゾーンからなる第２ゾーンとを備え、前記第２ゾーンは、前記第１ゾーンの下流にあることを特徴としている。
【００１６】
帯電した粒子は、第１ゾーンではなく第２ゾーン内に支配的に収集される。第２ゾーンは、第１ゾーンから分離しかつ間隔を置いて配置され、別々の機能として、静電集塵器のイオン化と収集段階を機能的に分離することを特徴としている。
【００１７】
本発明の他の構成によれば、第１ゾーン内にアンチコレクターガイドを含み、該アンチコレクターガイドは、帯電した粒子の収集を妨げ、その代わりに、帯電した粒子を下流の第２ゾーンに流れるように方向づけて、第２ゾーンにおいて前記粒子を収集する。
また、本発明は、第１ゾーンに、コロナ放電イオン化を与える電界を作り出すコロナ放電電極を含み、アンチコレクターガイドは、第１ゾーン内に電界シールドを含み、帯電した粒子を前記電界から遮蔽し、第１ゾーン内に帯電した粒子の収集を妨げることを特徴としている。
【００１８】
そして、電界シールドは、第１ゾーンを第１,２のサブゾーンに分け、第１のサブゾーンは、電界シールドの一面側にあり、帯電した粒子を第２ゾーンに導き、第２のサブゾーンは、電界シールドの他面側にあり、コロナ放電電極と電界シールド間にあって、イオン化を与える。
さらに、前記第１のサブゾーン、前記第２のサブゾーン、及び前記第２ゾーンは、それぞれ、静電集塵器におけるイオン化、帯電、収集の各段階に機能的に分離されている。
【００１９】
本発明の他の構成によれば、前記電界シールドは、軸線に沿って軸方向に伸びる穿孔した軸方向チューブからなり、軸方向チューブの入口端から入射するガスを、軸方向チューブの軸方向反対側の出口端に導き、コロナ放電電極は、軸方向チューブを取り囲む軸方向に伸びる中空ドラムからなり、第１のサブゾーンは、軸方向チューブ内にあり、第２のサブゾーンは、軸方向チューブの外側で軸方向チューブとドラムとの間にあり、第２のサブゾーン内にイオン化により作り出されるイオンが、軸方向チューブ内の穿孔を通って、軸方向チューブ内の第１のサブゾーン内で帯電した粒子を作り出し、該帯電した粒子が、コロナ放電電極によって作り出された軸方向チューブの外側の第２のサブゾーン内の電界から軸方向チューブによって遮蔽される。また、軸方向チューブは、接地電位となっている。
【００２０】
本発明の他の構成によれば、ドラムを取り囲む外側接地面を含み、第２ゾーンは、ドラムの外側にあってドラムを取り囲み、ドラムと外側接地面との間にある。外側接地面は、第１軸方向端と第２軸方向端との間に軸線に沿って軸方向に伸びるキャニスターを含み、第１軸方向端は、ガス入口と洗浄されたガスの出口の両方を有し、ガス入口は、軸方向チューブの入口端にあり、洗浄されたガスの出口は、第２ゾーンから洗浄されたガスを受け入れ、該ガスは、ガス入口から第１軸方向にチューブ内の第１ゾーンを通って軸方向チューブの出口端に流れ、さらに、半径方向外側の第２ゾーンに向かい、第１軸方向と反対の第２軸方向に、第２ゾーンから洗浄されたガスの出口に流れることを特徴としている。
【００２１】
本発明の他の構成によれば、さらに第１ゾーンに電界を作り出すコロナ放電電極を含み、このコロナ放電電極は、コロナ放電によるイオン化を与え、アンチコレクターガイドが、第１ゾーン内に１つ以上のベンチュリー管を含み、帯電した粒子を加速して第１ゾーン内に帯電した粒子が集まらないようにする。コロナ放電電極は、１つ以上のコロナ放電チップを含み、該チップは、各々１つのベンチュリー管内に配置され、各ベンチュリー管内のイオン化ゾーンにおいて、イオン化を行うことを特徴とする。
【００２２】
また、軸線に沿って軸方向に伸びる中空ドラムを含み、該中空ドラム内に、第１ゾーンを形成しかつ取り囲み、１つ以上のベンチュリー管は、帯電した粒子を軸方向に沿って加速する。ドラムは、入来ガスを受け入れるドラム入口端と第２ゾーンに連通するドラム出口端を有し、１つ以上のベンチュリー管が、ドラム出口端にある。１つ以上のベンチュリー管は、接地電位にある。
【００２３】
本発明の他の構成によれば、ドラムを取り囲む外側接地面を有し、第２ゾーンは、ドラムの外側にあってドラムを取り囲み、かつドラムと外側接地面との間に位置する。外側接地面は、第１軸方向端と第２軸方向端との間に軸線に沿って軸方向に伸びるキャニスターを含み、第１軸方向端は、ガスの入口と、洗浄されたガスの出口の両方を有し、ガスは、ガスの入口から第１軸方向に第１ゾーンを通り、ドラム内の１つ以上のベンチュリー管を通って、さらに、半径方向外側の第２ゾーンに向かい、前記第１軸方向とは反対の第２軸方向に前記第２ゾーンから洗浄したガスの出口へ流れることを特徴としている。
【００２４】
本発明の他の構成によれば、ドラムと外側接地面との間の第２ゾーン内に電気伝導性の収集媒体を含み、この電気伝導性の収集媒体は、ワイヤメッシュおよび金属製はちの巣構造からなる群から選択される。また、ドラムは、電気絶縁体であることを特徴とする。
【発明の効果】
【００２５】
本発明は、帯電段階と収集段階とを分離することによって接地電極の汚染を低下させることができる。
【発明を実施するための最良の形態】
【００２６】
（本発明）
図４は、ガス流路１０２に沿って上流から下流に流れるガスを洗浄するための静電集塵器１００を示している。ガス流路は、第１ゾーン１０４と第２ゾーン１０６とを含み、第１ゾーン１０４は、イオンを作り出し、次にガス内の粒子を帯電するコロナ放電イオン化ゾーンを形成し、第２ゾーン１０６は、帯電した粒子を収集する収集ゾーンを形成する。
【００２７】
第２ゾーン１０６は、第１ゾーン１０４の下流にあり、第２ゾーン１０６は、第１ゾーン１０４から間隔を置いて配置され、機能的に静電集塵器のイオン化段階と収集段階を個別に機能させる。帯電粒子は、第２ゾーン１０６内に集められ、第１ゾーン１０４に集められない。
アンチコレクターガイド１０８が第１ゾーン１０４に設けられ、帯電粒子の収集を妨げ、その代わりに、帯電粒子を第２ゾーンで収集するために下流の第２ゾーン１０６に向かわせる。
【００２８】
コロナ放電電極１１０が、第１ゾーン１０４に設けられており、この放電電極は、コロナ放電イオン化を与える電界を作り出す放電チップ１１２を含むことができる。アンチコレクターガイド１０８は、第１ゾーン１０４内の電界シールドで与えられ、帯電粒子を電界からシールドし、第１ゾーン１０４に、このような帯電粒子が蓄積されないようにする。電界シールド１０８は、第１ゾーン１０４を第１、第２のサブゾーン１１４，１１６に分割する。第１サブゾーン１１４は、電界シールド１０８の一面側にあり、帯電粒子を第２ゾーン１０６に導く。第２サブゾーン１１６は、電界シールドの他面側にあり、コロナ放電電極１１０と電界シールド１０８の間に位置し、イオン化を与える。第１サブゾーン１１４、第２サブゾーン１１６、及び第２ゾーン１０６は、静電集塵器を機能的に分離し、それぞれ、イオン化段階、帯電段階、および収集段階を実行する。
【００２９】
好ましい形態では、電界シールド１０８は、穿孔チューブ、例えば、スクリーン、又は他の形式のチューブであり、軸線１１８に沿って軸方向に伸び、参照番号１２０の位置にある入来ガスを、軸方向チューブの入口端１２２から軸方向に離れた反対側に位置する軸方向チューブの出口端１２４に導く。コロナ放電電極１１０は、チューブ１０８を取り囲んで軸方向に延びる中空ドラムであることが望ましい。第１サブゾーン１１４は、チューブ１０８内にある。第２サブゾーン１１６は、チューブ１０８の外側にあって、チューブ１０８とドラム１１０の間に位置する。第２サブゾーン１１６において、イオン化により生じたイオンは、チューブ１０８の穿孔を通過し、チューブ１０８内の第１サブゾーン１１４において帯電した粒子を作る。この帯電粒子は、チューブ１０８によって、チューブ１０８外側の第２サブゾーン１１６において、コロナ放電電極１１０によって作り出される電界からシールドされる。チューブ１０８は、接地電位である。
【００３０】
外側接地面１２６は、ドラム１１０を取り囲んでいる。第２ゾーン１０６は、ドラムの外側にあってドラムを取り囲み、ドラム１１０と外側接地面１２６との間に位置する。外側接地面１２６は、第１、第２の軸方向端１２８，１３０の間で、軸線１１８に沿って軸方向に伸びるキャニスターを形成する。第１軸方向端１２８は、ガス入口１３２と洗浄したガスの出口１３４の両方を有する。ガス入口１３２は、軸方向チューブの入口端１２２にある。洗浄したガスの出口１３４は、第２ゾーン１０６から洗浄したガスを受け入れる。ガスは、矢印１２０で示すようにガス入口１３２から第１軸方向にチューブ１０８内にある第１ゾーンを通り、軸方向チューブの出口端１２４を通過する。そして、次に、矢印１３６で示すように半径方向外側を通り、第２ゾーン１０６に入る。さらに、ガスは、矢印１３８で示すように、第１軸方向とは反対の第２軸方向に流れて洗浄されたガスの出口１３４を通過する。帯電粒子は、接地面１２６に引き付けられることによって第２ゾーン１０６内に集められる。ここから、このような汚染物質が下方のドレイン１４０から排出される。
【００３１】
図５は、別の実施形態を示し、理解を容易にするために、上記したものと同様の参照番号を用いる。静電集塵器１５０は、参照番号１５２で示す１つ以上の放電チップによって形成されるコロナ放電電極を有し、各チップは、第１ゾーン１５４に配置され、電界を作り出して、コロナ放電によるイオン化を与える。上記したアンチコレクターガイドには、１つ以上のベンチュリー管１５６が設けられ、各ベンチュリー管は、第１ゾーン１５４内で、帯電した粒子を加速し、これらの粒子を第１ゾーンに集まることを防止する。１つ以上のコロナ放電チップの各々は、それぞれのベンチュリー管１５６内に配置され、各ベンチュリー管内のイオン化ゾーン１５４においてイオン化を提供する。中空ドラム１５８が軸線１１８に沿って軸方向に伸びており、このドラム内に第１ゾーンを形成しかつ取り囲む。そして、１つ以上のベンチュリー管１５６が、矢印１６０で示すように、帯電粒子を軸方向に加速する。ドラム１５８は、矢印１２０で示すように、入来ガスを受け入れる軸方向ドラムの入口端１６２と、第２ゾーン１６６に連通する軸方向ドラムの出口端１６４を有する。１つ以上のベンチュリー管１５６は、接地電位にある。
【００３２】
外側接地面１２６は、ドラム１５８を取り囲んでいる。第２ゾーン１５６は、ドラムの外側にあってドラムを取り囲み、かつドラム１５８と外側接地面１２６との間に位置する。外側接地面１２６は、第１、第２の軸方向端１２８，１３４の間に、軸線１１８に沿って軸方向に伸びるキャニスターを形成する。第１軸方向端１２８は、ガス入口１３２と洗浄されたガスの出口１３４の両方を有する。ガスは、矢印１２０で示すように、ガス入口１３２から第１方向に流れ、ドラムの内側を通り、１つ以上のベンチュリー管１５６を介して第１ゾーン１５４を通過する。そして、矢印１６８で示すように半径方向外側に流れて第２ゾーン１６６に入る。さらに、矢印１３８で示すように、第１軸方向とは反対の第２軸方向に流れ、第２ゾーン１６６を通過して洗浄されたガスの出口１３４に入る。帯電粒子は、接地面１２６に引き付けられることにより第２ゾーンに集められる。そして、接地面からこのような汚染物質が、キャニスターから下方のドレイン１４０に排出される。
【００３３】
図６は、別の実施形態を示し、理解を容易にするために、上記したものと同様の参照番号を用いる。電気伝導性の収集媒体１８０が、ドラム１５８と外側接地面１２６との間の第２ゾーン１６６内に設けられる。この電気伝導性の収集媒体は、ワイヤメッシュ、金属製のはちの巣構造等であることが望ましい。このような媒体は、外側接地面１２６に接触し、接地電位となる。帯電粒子は、矢印１６８で示すように、収集領域１６６に入るので、これらの粒子は、媒体１８０に集められる。拡散は、この収集のための第１のメカニズムである。ドラム１５８は、電気絶縁体である。
【００３４】
上記記載において、ある用語は、単純化、明瞭化、及び理解のために用いてきた。従来技術で得られたもの以外の構成について、不必要な限定を含むものではなく、このような用語は、単に記述のために用いられ、広く解釈されるべきものである。ここに記載のものと異なる構成は、他の構成と共にまたは単独で用いることができる。種々の等価物及び代替物、及び変更は、本発明の特許請求の範囲内で可能である。
【図面の簡単な説明】
【００３５】
【図１】本発明の親出願に示された静電コレクターの概略斜視図である。
【図２】図１の分解構成図である。
【図３】図１の静電コレクターの構造を示す断面図である。
【図４】本発明に従う静電集塵器の断面図である。
【図５】別の実施形態を示す図４と同様な断面図である。
【図６】更に別の実施形態を示す図５と同様な断面図である。
【符号の説明】
【００３６】
１００  静電集塵器
１０２  ガス流路
１０４、１５４  第１ゾーン
１０６、１６６  第２ゾーン
１０８  アンチコレクターガイド
１１０  コロナ放電電極
１１２、１５２  放電チップ
１１４  第１サブゾーン
１１６  第２サブゾーン
１２２  軸方向チューブの入口端
１２４  軸方向チューブの出口端
１２６  外側接地面
１２８  第１軸方向端
１３０  第２軸方向端
１５６  ベンチュリー管
１５８  中空ドラム
【図１】
0004803393.tif 000002
【図２】
0004803393.tif 000003
【図３】
0004803393.tif 000004
【図４】
0004803393.tif 000005
【図５】
0004803393.tif 000006
【図６】
0004803393.tif 000007